(57)【要約】【課題】各室内機の室内熱交換器における熱交換量の違いに関わらず、冷媒配管の接続あるいは配線の接続の正誤判定を行える空気調和装置を提供する。【解決手段】ＣＰＵ２１０は、各室内機の判定前熱交温度ＴＢＥを取り込んで記憶した後、室内機５ａに対応する膨張弁１００ａのみを室内機５ａの熱交換量Ｈａ＝Ａに応じた判定時間ｔｊａの間全閉とする。ＣＰＵ２１０は、判定時間ｔｊａが経過したら室内機５ａから全閉後熱交温度ＴＡＦａを取り込み、判定前熱交温度ＴＢＥａから全閉後熱交温度ＴＡＦａを減じた温度差が閾温度差Ｔｔｈ以上であるか否かを判断する。ＣＰＵ２１０は、温度差が閾温度差Ｔｔｈ以上であれば正誤判定：ＯＫと判定し、温度差が閾温度差Ｔｔｈ未満であれば正誤判定：ＮＧと判定する。【選択図】図４
2018162892.tif 000002
【特許請求の範囲】
【請求項１】
室外機と、複数台の室内機と、同複数台の室内機の台数に対応した数の流量調整手段と、制御手段を有する空気調和装置であって、
前記室外機と前記複数台の室内機と前記流量調整手段は冷媒配管で接続され、
前記室外機と前記複数台の室内機は室内機配線で接続され、
前記室外機と前記流量調整手段は流量調整手段配線で接続され、
前記複数台の室内機は、室内熱交換器と、同室内熱交換器の温度である熱交温度を検出する熱交温度検出手段を有し、
前記制御手段は、
少なくとも１台の室内機の室内熱交換器における熱交換量が他の室内機における室内熱交換器の熱交換量と異なる場合に、前記冷媒配管と前記室内機配線と前記流量調整手段配線の接続の正誤を判定する正誤判定を行うとき、
全ての前記流量調整手段を開いて暖房運転を行い、暖房運転状態が安定した後の前記各室内熱交換器の熱交温度である判定前熱交温度を検出し、
前記判定前熱交温度を検出した後に特定の１個の流量調整手段を全閉としてから、当該流量調整手段に対応する室内機の室内熱交換器の熱交換量に応じて異なる判定時間が経過すれば、当該全閉とした流量調整手段に対応する室内機の室内熱交換器の熱交温度である全閉後熱交温度を検出し、
複数の前記判定前熱交温度のうち前記全閉とした流量調整手段に対応する室内機の判定前熱交温度から前記全閉後熱交温度を減じた温度差が、予め定められた閾温度差以上であれば、前記冷媒配管と前記室内機配線と前記流量調整手段配線の接続は正しいと判定し、前記温度差が前記閾温度差未満であれば、前記冷媒配管と前記室内機配線と前記流量調整手段配線のうちのいずれか１つの接続は誤りであると判定する、
ことを特徴とする空気調和装置。
【請求項２】
室外機と、複数台の室内機と、同複数台の室内機の台数に対応した数の流量調整手段と、制御手段を有する空気調和装置であって、
前記室外機と前記複数台の室内機と前記流量調整手段は冷媒配管で接続され、
前記室外機と前記複数台の室内機は室内機配線で接続され、
前記室外機と前記流量調整手段は流量調整手段配線で接続され、
前記複数台の室内機は、室内熱交換器と、同室内熱交換器の温度である熱交温度を検出する熱交温度検出手段を有し、
前記制御手段は、
少なくとも１台の室内機の室内熱交換器における熱交換量が他の室内機における室内熱交換器の熱交換量と異なる場合に、前記冷媒配管と前記室内機配線と前記流量調整手段配線の接続の正誤を判定する正誤判定を行うとき、
全ての前記流量調整手段を開いて暖房運転を行い、暖房運転状態が安定した後の前記各室内熱交換器の熱交温度である判定前熱交温度を検出し、
前記判定前熱交温度を検出した後に特定の１個の流量調整手段を全閉としてから、予め定められた基本判定時間が経過すれば、当該全閉とした流量調整手段に対応する室内機の室内熱交換器の熱交温度である全閉後熱交温度を検出し、
複数の前記判定前熱交温度のうち前記全閉とした流量調整手段に対応する室内機の判定前熱交温度から前記全閉後熱交温度を減じた温度差が、予め定められた閾温度差未満であれば、当該室内機の室内熱交換器の熱交換量に応じて異なる延長判定時間の間、当該室内機に対応する流量調整手段を全閉とし、同流量調整手段を全閉としてから前記延長判定時間が経過すれば、当該全閉とした流量調整手段に対応する全閉後熱交温度を新たに検出し、
前記判定前熱交温度から前記新たに検出した全閉後熱交温度を減じた温度差が、前記閾温度差以上であれば、前記冷媒配管と前記室内機配線と前記流量調整手段配線の接続は正しいと判定し、前記温度差が前記閾温度差未満であれば、前記冷媒配管と前記室内機配線と前記流量調整手段配線のうちのいずれか１つの接続は誤りであると判定する、
ことを特徴とする空気調和装置。
【請求項３】
前記基本判定時間が経過した後の前記温度差が前記閾温度差以上であれば、前記冷媒配管と前記室内機配線と前記流量調整手段配線の接続は正しいと判定する、
ことを特徴とする請求項２に記載の空気調和装置。
【発明の詳細な説明】
【技術分野】
【０００１】
本発明は、室外機と複数台の室内機が冷媒配管で接続された空気調和装置に関する。
【背景技術】
【０００２】
１台の室外機と複数台の室内機で構成される空気調和装置は、室外機と各室内機がガス管および膨張弁を備えた液管からなる冷媒配管で接続されるとともに、室外機と各室内機と各膨張弁が相互に配線で接続される。このような空気調和装置では、設置後に冷媒配管の接続あるいは配線の接続が正しいか否かを確認する必要がある。
【０００３】
特許文献１には、１台の室外機と少なくとも２台の室内機が、ガス管および膨張弁を備えた液管からなる冷媒配管や配線で接続されてなるマルチ型空気調和機で、冷媒配管の接続あるいは配線の接続の正誤判定を行う方法が開示されている。具体的には、冷房運転時の正誤判定では、いずれか１個の膨張弁を除く全ての膨張弁を全閉としてから一定時間が経過した後に、全ての液温度と各室内機が設置された部屋の室温全てを検出し、各室内機における室温と液温度の温度差をそれぞれ算出する。全閉とされていない膨張弁に対応する室内機の液温度は室温より低くなっているため、当該室内機における室温と液温度の温度差が大きくなる。従って、室温と液温度の温度差が最も大きい室内機が全閉とされている膨張弁に対応するものであるか否かを確認することで、冷媒配管と配線のうちのいずれかの接続が誤っているか否かを判定できる。
【０００４】
一方、暖房運転時の正誤判定では、まず、全ての膨張弁を開いて冷凍サイクルが安定した後に各室内機の室内熱交換器温度（以降、熱交温度と記載）を検出する。その後、いずれか１個の膨張弁のみ全閉とし、一定時間が経過した後に全ての熱交温度を検出して、いずれか１個の膨張弁のみ全閉とする前後の各室内機における熱交温度の温度差をそれぞれ算出する。全閉とされた膨張弁に対応する室内機では熱交温度が低下する。従って、いずれか１個の膨張弁のみ全閉とする前後の熱交温度の温度差が最も大きい室内機が全閉とされている膨張弁に対応するものであるか否かを確認することで、冷媒配管と配線のうちのいずれかの接続が誤っているか否かを判定できる。
【先行技術文献】
【特許文献】
【０００５】
【特許文献１】特開２０１２−１７８８６号公報
【発明の概要】
【発明が解決しようとする課題】
【０００６】
特許文献１に記載のマルチ型空気調和機では、暖房運転時は熱交温度の変化をみて冷媒配管の接続あるいは配線の接続の正誤判定を行っている。このとき、室内熱交換器が他の室内熱交換器より大きい室内機や、室内熱交換器の大きさは他の室内機と変わらないが室外機と接続される冷媒配管が他の室内機と比べて長い室内機、例えば、一番短い（例：５ｍ）冷媒配管の４倍以上の長さの冷媒配管で接続されている室内機では、他の室内機と比べて室内熱交換器における熱交換量（単位時間当たりに冷媒と室内空気との間で交換される熱量）が少ないため、膨張弁を全閉とした後の熱交温度の変化が遅くなる。
【０００７】
上記のような、他の室内機と比べて熱交換量の少ない室内機が存在する空気調和装置で、特許文献１に記載の暖房運転での冷媒配管の接続あるいは配線の接続の正誤判定を行うと、熱交換量の少ない室内機に対応する膨張弁を全閉として全ての室内機における膨張弁を閉じる前後の熱交温度の温度差を検出するときに、当該室内機における温度差が小さくて他の室内機における温度差と大きな違いが生じない恐れがあり、冷媒配管の接続あるいは配線の接続の正誤判定を行えない恐れがあった。
【０００８】
本発明は以上述べた問題点を解決するものであって、各室内機の室内熱交換器における熱交換量の違いに関わらず、冷媒配管の接続あるいは配線の接続の正誤判定を行える空気調和装置を提供することを目的とする。
【課題を解決するための手段】
【０００９】
上記の課題を解決するために、本発明の空気調和装置は、室外機と、複数台の室内機と、複数台の室内機の台数に対応した数の流量調整手段と、制御手段を有するものであって、室外機と複数台の室内機と流量調整手段は冷媒配管で接続され、室外機と複数台の室内機は室内機配線で接続され、室外機と流量調整手段は流量調整手段配線で接続される。複数台の室内機は、室内熱交換器と室内熱交換器の温度である熱交温度を検出する熱交温度検出手段を有する。制御手段は、少なくとも１台の室内機の室内熱交換器における熱交換量が他の室内機における室内熱交換器の熱交換量と異なる場合に、冷媒配管と室内機配線と流量調整手段配線の接続の正誤を判定する正誤判定を行うとき、まずは、全ての流量調整手段を開いて暖房運転を行い、暖房運転状態が安定した後の各室内熱交換器の熱交温度である判定前熱交温度を検出する。次に、制御手段は、判定前熱交温度を検出した後に特定の１個の流量調整手段を全閉としてから、当該流量調整手段に対応する室内機の室内熱交換器の熱交換量に応じて予め定められた判定時間が経過すれば、当該全閉とした流量調整手段に対応する室内機の室内熱交換器の熱交温度である全閉後熱交温度を検出する。そして、制御手段は、複数の判定前熱交温度のうち全閉とした流量調整手段に対応する室内機の判定前熱交温度から全閉後熱交温度を減じた温度差が、予め定められた閾温度差以上であれば、冷媒配管と室内機配線と流量調整手段配線の接続は正しいと判定し、温度差が閾温度差未満であれば、冷媒配管と室内機配線と流量調整手段配線のうちのいずれか１つの接続は誤りであると判定する。
【００１０】
また、本発明の空気調和装置は、室外機と、複数台の室内機と、複数台の室内機の台数に対応した数の流量調整手段と、制御手段を有するものであって、室外機と複数台の室内機と流量調整手段は冷媒配管で接続され、室外機と複数台の室内機は室内機配線で接続され、室外機と流量調整手段は流量調整手段配線で接続される。複数台の室内機は、室内熱交換器と室内熱交換器の温度である熱交温度を検出する熱交温度検出手段を有する。制御手段は、少なくとも１台の室内機の室内熱交換器における熱交換量が他の室内機における室内熱交換器の熱交換量と異なる場合に、冷媒配管と室内機配線と流量調整手段配線の接続の正誤を判定する正誤判定を行うとき、まずは、全ての流量調整手段を開いて暖房運転を行い、暖房運転状態が安定した後の各室内熱交換器の熱交温度である判定前熱交温度を検出する。次に、制御手段は、判定前熱交温度を検出した後に特定の１個の流量調整手段を全閉としてから、予め定められた基本判定時間が経過すれば、当該全閉とした流量調整手段に対応する室内機の室内熱交換器の熱交温度である全閉後熱交温度を検出する。次に、制御手段は、複数の判定前熱交温度のうち全閉とした流量調整手段に対応する室内機の判定前熱交温度から全閉後熱交温度を減じた温度差が、予め定められた閾温度差未満であれば、当該室内機の室内熱交換器の熱交換量に応じて予め定められた延長判定時間の間、当該室内機に対応する流量調整手段を全閉とし、この流量調整手段を全閉としてから延長判定時間が経過すれば、当該全閉とした流量調整手段に対応する全閉後熱交温度を新たに検出する。そして、制御手段は、判定前熱交温度から新たに検出した全閉後熱交温度を減じた温度差が閾温度差以上であれば、冷媒配管と室内機配線と流量調整手段配線の接続は正しいと判定し、温度差が閾温度差未満であれば、冷媒配管と室内機配線と流量調整手段配線のうちのいずれか１つの接続は誤りであると判定する。
【発明の効果】
【００１１】
上記のように構成した本発明の空気調和装置は、膨張弁を全閉とする前の熱交温度と、膨張弁を全閉としてから各室内機の室内熱交換器における熱交換量に応じた判定時間が経過した後の熱交温度を比較することで、冷媒配管の接続あるいは配線の接続の正誤判定を行う。あるいは、膨張弁を全閉としてから、予め定められた基本判定時間に、各室内機の室内熱交換器における熱交換量に応じた延長判定時間を加えた時間が経過した後の熱交温度を比較することで、冷媒配管の接続あるいは配線の接続の正誤判定を行う。これにより、室内熱交換器における熱交換量の違いに関わらず、冷媒配管の接続あるいは配線の接続の正誤判定を行える。
【図面の簡単な説明】
【００１２】
【図１】本発明の実施形態である空気調和装置の説明図であり、（Ａ）が冷媒回路図、（Ｂ）が室外機制御手段と各室内機の配線接続を示すブロック図である。
【図２】本発明の実施形態における、判定時間テーブルである。
【図３】本発明の実施形態における、配管・配線接続判定テーブルである。
【図４】本発明の実施形態における、暖房運転時の配管・配線の接続の正誤判定に関わる処理を示すフローチャートである。
【図５】本発明の第２の実施形態における、延長判定時間テーブルである。
【図６】本発明の第２の実施形態における、配管・配線接続判定テーブルである。
【図７】本発明の第２実施形態における、暖房運転時の配管・配線の接続の正誤判定に関わる処理を示すフローチャートである。
【発明を実施するための形態】
【００１３】
以下、本発明の実施の形態を、添付図面に基づいて詳細に説明する。実施形態としては、１台の室外機に３台の室内機が冷媒配管および配線で並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。
【実施例１】
【００１４】
図１に示すように、本実施形態における空気調和装置１は、３個の液側閉鎖弁２６ａ〜２６ｃと３個のガス側閉鎖弁２７ａ〜２７ｃを有する１台の室外機２と、３台の室内機５ａ〜５ｃの合計３台の室内機と、３個の膨張弁１００ａ〜１００ｃを備える膨張弁ボックス１００を有する。詳細は後述するが、室内機５ａ〜５ｃそれぞれの室内熱交換器における熱交換量が異なり、室内機５ｃの熱交換量が一番少なく、室内機５ｂの熱交換量が一番多い。そして、室内機５ａの熱交換量は室内機５ｂと室内機５ｃの間の量である。そして、室外機２と室内機５ａ〜５ｃと膨張弁ボックス１００が、３本の液管８ａ、８ｂ、８ｃと３本のガス管９ａ、９ｂ、９ｃで、また、第１配線２５０ａ、第１枝配線２５０ａａ〜２５０ａｃ、第２配線２５０ｂ、および、第２枝配線２５０ｂａ〜２５０ｂｃで、並列に接続されている。
【００１５】
具体的には、図１（Ａ）に示すように、液管８ａの一端は室内機５ａの液管接続部５２ａに接続され、液管８ａの他端は室外機２の液側閉鎖弁２６ａに接続されている。また、液管８ｂの一端は室内機５ｂの液管接続部５２ｂに接続され、液管８ｂの他端は室外機２の液側閉鎖弁２６ｂに接続されている。そして、液管８ｃの一端は室内機５ｃの液管接続部５２ｃに接続され、液管８ｃの他端は室外機２の液側閉鎖弁２６ｃに接続されている。そして、膨張弁ボックス１００の膨張弁１００ａが液管８ａに設けられ、膨張弁１００ｂが液管８ｂに設けられ、膨張弁１００ｃが液管８ｃに設けられている。
【００１６】
ガス管９ａの一端は室内機５ａのガス管接続部５３ａに接続され、ガス管９ａの他端は室外機２のガス側閉鎖弁２７ａに接続されている。また、ガス管９ｂの一端は室内機５ｂのガス管接続部５３ｂに接続され、ガス管９ｂの他端は室外機２のガス側閉鎖弁２７ｂに接続されている。そして、ガス管９ｃの一端は室内機５ｃのガス管接続部５３ｃに接続され、ガス管９ｃの他端は室外機２のガス側閉鎖弁２７ｃに接続されている。
【００１７】
以上のように、室外機２に室内機５ａ〜５ｃが、膨張弁１００ａ〜１００ｃが設けられた液管８ａ〜８ｃと、ガス管９ａ〜９ｃでそれぞれ接続されて、空気調和装置１の冷媒回路１０が構成されている。これら液管８ａ〜８ｃおよびガス管９ａ〜９ｃが、本発明の冷媒配管である。
【００１８】
図２（Ｂ）に示すように、第１配線２５０ａの一端は、後述する室外機２の室外機制御手段２００の通信部２３０と接続され、第１配線２５０ａの他端は、第１枝配線２５０ａａ〜２５０ａｃの各々の一端と接続されている。そして、第１枝配線２５０ａａの他端は室内機５ａの図示しない制御手段と、第１枝配線２５０ａｂの他端は室内機５ｂの図示しない制御手段と、第１枝配線２５０ａｃの他端は室内機５ｃの図示しない制御手段とそれぞれ接続されている。これら第１配線２５０ａおよび第１枝配線２５０ａａ〜２５０ａｃが、本発明の室内機配線である。
【００１９】
第２配線２５０ｂの一端は、室外機制御手段２００の通信部２３０と接続され、第２配線２５０ｂの他端は、第２枝配線２５０ｂａ〜２５０ｂｃの各々の一端と接続されている。そして、第２枝配線２５０ｂａの他端は膨張弁１００ａと、第２枝配線２５０ｂｂの他端は膨張弁１００ｂと、第２枝配線２５０ｂｃの他端は膨張弁１００ｃとそれぞれ接続されている。これら第２配線２５０ｂおよび第２枝配線２５０ｂａ〜２５０ｂｃが、本発明の流量調整手段配線である。
＜室外機２の構成＞
【００２０】
まず、室外機２について説明する。室外機２は、圧縮機２１と、四方弁２２と、室外熱交換器２３と、アキュムレータ２４と、室外ファン２５と、上述した３個の液側閉鎖弁２６ａ〜２６ｃおよび３個のガス側閉鎖弁２７ａ〜２７ｃと、室外機制御手段２００を備えている。そして、室外ファン２５および室外機制御手段２００を除くこれら各装置が、以下で詳述する各冷媒配管で相互に接続されて、冷媒回路１０の一部をなす室外機冷媒回路２０を構成している。
【００２１】
圧縮機２１は、インバータにより回転数が制御される図示しないモータによって駆動されることで運転能力を可変できる能力可変型圧縮機である。圧縮機２１の冷媒吐出口と四方弁２２のポートａが吐出管４１で接続されている。また、圧縮機２１の冷媒吸入側とアキュムレータ２４の冷媒流出側が吸入管４２で接続されている。
【００２２】
四方弁２２は、冷媒の流れる方向を切り換えるための弁であり、ａ、ｂ、ｃ、ｄの４つのポートを備えている。上述したように、ポートａと圧縮機２１の冷媒吐出口が吐出管４１で接続されている。ポートｂと室外熱交換器２３の一方の冷媒出入口が冷媒配管４３で接続されている。ポートｃとアキュムレータ２４の冷媒流入側が冷媒配管４６で接続されている。そして、ポートｄには室外機ガス管４５の一端が接続されている。
【００２３】
室外機ガス管４５の他端には、３本の室外機ガス分管４５ａ〜４５ｃの各々の一端が接続されている。室外機ガス分管４５ａの他端はガス側閉鎖弁２７ａに接続されている。室外機ガス分管４５ｂの他端はガス側閉鎖弁２７ｂに接続されている。室外機ガス分管４５ｃの他端はガス側閉鎖弁２７ｃに接続されている。
【００２４】
室外熱交換器２３は、室外ファン２５の回転により図示しない吸込口から室外機２の内部に取り込まれた外気と冷媒を熱交換させる。上述したように、室外熱交換器２３の一方の冷媒出入口と四方弁２２のポートｂが冷媒配管４３で接続されている。また、室外熱交換器２３の他方の冷媒出入口には室外機液管４４の一端が接続されている。室外熱交換器２３は、冷媒回路１０が冷房サイクルとなる場合は凝縮器として機能し、冷媒回路１０が暖房サイクルとなる場合は蒸発器として機能する。
【００２５】
室外機液管４４の他端には、３本の室外機液分管４４ａ〜４４ｃの各々の一端が接続されている。室外機液分管４４ａの他端は液側閉鎖弁２６ａに接続されている。室外機液分管４４ｂの他端は液側閉鎖弁２６ｂに接続されている。室外機液分管４４ｃの他端は液側閉鎖弁２６ｃに接続されている。
【００２６】
アキュムレータ２４は、上述したように、冷媒流入側と四方弁２２のポートｃが冷媒配管４６で接続され、冷媒流出側と圧縮機２１の冷媒吸入口が吸入管４２で接続されている。アキュムレータ２４は、流入した冷媒をガス冷媒と液冷媒とに分離し、ガス冷媒のみを吸入管４２を介して圧縮機２１に吸入させる。
【００２７】
室外ファン２５は、室外熱交換器２３の近傍に配置される樹脂材で形成されたプロペラファンであり、図示しないファンモータによって室外ファン２５が回転することで、室外機２に設けられた図示しない吸込口から室外機２の内部に外気を取り込み、室外熱交換器２３を流れる冷媒と熱交換した外気を室外機２に設けられた図示しない吹出口から室外機２の外部へ放出する。
【００２８】
以上説明した構成の他に、室外機２には各種のセンサが設けられている。図１（Ａ）に示すように、吐出管４１には、圧縮機２１から吐出される冷媒の圧力を検出する高圧センサ３１と、圧縮機２１から吐出される冷媒の温度を検出する吐出温度センサ３３が設けられている。
【００２９】
冷媒配管４６におけるアキュムレータ２４の冷媒流入側近傍には、圧縮機２１に吸入される冷媒の圧力を検出する低圧センサ３２と、圧縮機２１に吸入される冷媒の温度を検出する吸入温度センサ３４が設けられている。
【００３０】
室外機液管４４における室外熱交換器２３の近傍には、室外熱交換器２３が蒸発器として機能する際に室外熱交換器２３に流入する冷媒の温度を検出する冷媒温度センサ３５が設けられている。また、室外機２の図示しない吸込口付近には、室外機２の内部に流入する外気の温度、すなわち外気温度を検出する外気温度センサ３８が設けられている。
【００３１】
室外機液分管４４ａには、室外機液分管４４ａを流れる冷媒の温度を検出する液側温度センサ３６ａが設けられている。室外機液分管４４ｂには、室外機液分管４４ｂを流れる冷媒の温度を検出する液側温度センサ３６ｂが設けられている。室外機液分管４４ｃには、室外機液分管４４ｃを流れる冷媒の温度を検出する液側温度センサ３６ｃが設けられている。
【００３２】
また、室外機２には、本発明の制御手段である室外機制御手段２００が備えられている。室外機制御手段２００は、室外機２の図示しない電装品箱に格納された制御基板に搭載されており、図１（Ｂ）に示すように、ＣＰＵ２１０と、記憶部２２０と、通信部２３０と、センサ入力部２４０とを備えている。
【００３３】
記憶部２２０は、ＲＯＭやＲＡＭで構成されており、室外機２の制御プログラムや各種センサからの検出信号に対応した検出値、圧縮機２１や室外ファン２５の駆動状態、室内機５ａ〜５ｃから送信される運転情報（運転／停止情報や設定温度情報等を含む）等を記憶する。通信部２３０は、前述したように第１配線２５０ａおよび第１枝配線２５０ａａ〜２５０ａｃによって室内機５ａ〜室内機５ｃと接続されるとともに、第２配線２５０ｂおよび第２枝配線２５０ｂａ〜２５０ｂｃによって膨張弁ボックス１００の膨張弁１００ａ〜１００ｃと接続されている。つまり、通信部２３０は、第１配線２５０ａおよび第１枝配線２５０ａａ〜２５０ａｃを介して室内機５ａ〜室内機５ｃと通信を行うとともに、第２配線２５０ｂおよび第２枝配線２５０ｂａ〜２５０ｂｃを介して膨張弁ボックス１００に信号を送信するインターフェイスである。センサ入力部２４０は、室外機２の各種センサでの検出結果を取り込んでＣＰＵ２１０に出力する。
【００３４】
ＣＰＵ２１０は、センサ入力部２４０を介して各種センサでの検出値を定期的（例えば、３０秒毎）に取り込むとともに、室内機５ａ〜５ｃから第１配線２５０ａおよび第１枝配線２５０ａａ〜２５０ａｃを介して送信される運転開始／停止を示す運転状態や運転情報（設定温度や室内温度等）を含んだ信号が通信部２３０を介して入力される。ＣＰＵ２１０は、これら入力された各種情報に基づいて、圧縮機２１や室外ファン２５の駆動制御を行うとともに、第２配線２５０ｂおよび第２枝配線２５０ｂａ〜２５０ｂｃを介して膨張弁ボックス１００の膨張弁１００ａ〜１００ｃの開度調整を行う。
＜膨張弁ボックス１００の構成＞
【００３５】
次に、膨張弁ボックス１００について説明する。膨張弁ボックス１００は３個の膨張弁１００ａ〜１００ｃを有しており、膨張弁１００ａは液管８ａに、膨張弁１００ｂは液管８ｂに、膨張弁１００ｃは液管８ｃに、それぞれ設けられている。また、膨張弁１００ａは第２配線２５０ｂと第２枝配線２５０ｂａで、膨張弁１００ｂは第２配線２５０ｂと第２枝配線２５０ｂｂで、膨張弁１００ｃは第２配線２５０ｂと第２枝配線２５０ｂｃでそれぞれ室外機２の通信部２３０に接続されている。膨張弁１００ａ〜１００ｃは、図示しないパルスモータにより駆動される電子膨張弁であり、第２配線２５０ｂと第２枝配線２５０ｂａ〜２５０ｂｃを介して室外機２から送信されるパルスモータに与えられるパルス数によってそれぞれの開度が調整されることで、室内機５ａ〜室内機５ｃに流れる冷媒量がそれぞれ調整される。
＜室内機５ａ〜５ｃの構成＞
【００３６】
次に、室内機５ａ〜５ｃについて説明する。室内機５ａ〜５ｃは、室内熱交換器５１ａ〜５１ｃと、液管接続部５２ａ〜５２ｃと、ガス管接続部５３ａ〜５３ｃと、室内ファン５４ａ〜５４ｃを備えている。そして、室内ファン５４ａ〜５４ｃを除くこれら各構成装置が以下で詳述する各冷媒配管で相互に接続されて、冷媒回路１０の一部をなす室内機冷媒回路５０ａ〜５０ｃを構成している。
【００３７】
尚、前述したように室内機５ａ〜室内機５ｃは室内熱交換器５１ａ〜５１ｃにおける熱交換量がそれぞれ異なるが、熱交換量以外については、室内機５ａ〜５ｃは全て同じ構成を有するため、以下の説明では室内機５ａについてのみ構成の説明を行い、室内機５ｂ、５ｃの構成については説明を省略する。尚、図１（Ａ）では、室内機５ａの構成装置に付与した番号の末尾をａからｂあるいはｃにそれぞれ変更したものが、室内機５ａの構成装置と対応する室内機５ｂ、５ｃの構成装置となる。
【００３８】
室内熱交換器５１ａは、冷媒と、室内ファン５４ａの回転により室内機５ａに備えられた図示しない吸込口から室内機５ａの内部に取り込まれた室内空気を熱交換させるものである。室内熱交換器５１ａの一方の冷媒出入口と液管接続部５２ａが室内機液管７１ａで接続されている。室内熱交換器５１ａの他方の冷媒出入口とガス管接続部５３ａが室内機ガス管７２ａで接続されている。尚、液管接続部５２ａやガス管接続部５３ａには、各冷媒配管が溶接やフレアナット等によって接続されている。室内熱交換器５１ａは、室内機５ａが冷房運転を行う場合は蒸発器として機能し、室内機５ａが暖房運転を行う場合は凝縮器として機能する。
【００３９】
室内ファン５４ａは、室内熱交換器５１ａの近傍に配置される樹脂材で形成されたクロスフローファンであり、図示しないファンモータによって回転することで、図示しない吸込口から室内機５ａの内部に室内空気を取り込み、室内熱交換器５１ａにおいて冷媒と熱交換した室内空気を室内機５ａに備えられた図示しない吹出口から室内へ供給する。
【００４０】
以上説明した構成の他に、室内機５ａには下記のセンサが設けられている。室内熱交換器５１ａには、室内熱交換器５１ａの温度すなわち熱交温度を検出する熱交温度センサ６１ａが備えられている。また、室内機５ａの図示しない吸込口付近には、室内機５ａの内部に流入する室内空気の温度、すなわち室内温度を検出する室内温度センサ６２ａが備えられている。
【００４１】
また、図示と詳細な説明は省略するが、室内機５ａには室内機制御手段が備えられている。室内機制御手段は、ＣＰＵと記憶部と通信部とセンサ入力部を備えている。記憶部は、ＲＯＭやＲＡＭで構成されており、室内機５ａの制御プログラムや各種センサからの検出信号に対応した検出値、室内ファン５４ａの制御状態等を記憶している。通信部は、第１配線２５０ａおよび第１枝配線２５０ａａによって、室外機２の通信部２３０と接続されており、第１配線２５０ａおよび第１枝配線２５０ａａを介して室外機２との通信を行うインターフェイスである。
【００４２】
センサ入力部は、室内機５ａの各種センサでの検出結果を取り込んでＣＰＵに出力する。ＣＰＵは、前述した室内機５ａの各センサでの検出結果をセンサ入力部を介して取り込む。また、ＣＰＵは、室外機２から送信される制御に関わる信号を通信部、第１配線２５０ａおよび第１枝配線２５０ａａを介して取り込む。また、ＣＰＵは、取り込んだ検出結果や制御信号に基づいて、室内ファン５４ａの駆動制御を行う。さらには、ＣＰＵは、使用者が図示しないリモコンを操作して設定した設定温度と、室内温度センサ６２ａで検出した室温との温度差を算出し、算出した温度差に基づいた要求能力を通信部、第１配線２５０ａおよび第１枝配線２５０ａａを介して室外機２の室外機制御手段２００に送信する。
＜冷媒回路１０の動作＞
【００４３】
次に、本実施形態の空気調和装置１が空調運転を行うときの冷媒回路１０における冷媒の流れや各部の動作を、図１（Ａ）を用いて説明する。尚、以下の説明では、室内機５ａ〜５ｃが暖房運転を行う場合について説明し、空気調和装置１が冷房運転を行う場合については詳細な説明を省略する。また、図１（Ａ）における矢印は、冷媒回路１０における暖房運転時の冷媒の流れを示している。
【００４４】
空気調和装置１が暖房運転を行う場合、四方弁２２が図１（Ａ）に実線で示す状態、すなわち、四方弁２２のポートａとポートｄが連通するように、また、ポートｂとポートｃが連通するように切り換えられる。これにより、冷媒回路１０が図１（Ａ）に矢印で示す方向に冷媒が流れる状態となり、室外熱交換器２３が蒸発器として機能するとともに、室内熱交換器５１ａ〜５１ｃがそれぞれ凝縮器として機能する暖房サイクルとなる。
【００４５】
上記のような冷媒回路１０の状態で圧縮機２１が起動すると、圧縮機２１から吐出された高圧の冷媒は吐出管４１から四方弁２２に流入し、四方弁２２から室外機ガス管４５を流れて室外機ガス分管４５ａ〜４５ｃに分流する。室外機ガス分管４５ａ〜４５ｃに分流した冷媒は、ガス側閉鎖弁２７ａ〜２７ｃを介してガス管９ａ〜９ｃに流入する。
【００４６】
ガス管９ａを流れる冷媒は、室内機５ａのガス管接続部５３ａを介して室内機５ａに流入する。室内機５ａに流入した冷媒は、室内機ガス管７２ａを流れて室内熱交換器５１ａに流入し、室内ファン５４ａの回転により室内機５ａの内部に取り込まれた室内空気と熱交換を行って凝縮する。また、ガス管９ｂを流れる冷媒は、室内機５ｂのガス管接続部５３ｂを介して室内機５ｂに流入する。室内機５ｂに流入した冷媒は、室内機ガス管７２ｂを流れて室内熱交換器５１ｂに流入し、室内ファン５４ｂの回転により室内機５ｂの内部に取り込まれた室内空気と熱交換を行って凝縮する。また、ガス管９ｃを流れる冷媒は、室内機５ｃのガス管接続部５３ｃを介して室内機５ｃに流入する。室内機５ｃに流入した冷媒は、室内機ガス管７２ｃを流れて室内熱交換器５１ｃに流入し、室内ファン５４ｃの回転により室内機５ｃの内部に取り込まれた室内空気と熱交換を行って凝縮する。
【００４７】
このように、室内熱交換器５１ａ〜５１ｃがそれぞれ凝縮器として機能し、室内熱交換器５１ａ〜５１ｃで冷媒と熱交換を行った室内空気が図示しない室内機５ａ〜５ｃの吹出口から室内に吹き出されることによって、室内機５ａ〜５ｃが設置された各部屋の暖房が行われる。
【００４８】
室内熱交換器５１ａから流出した冷媒は室内機液管７１ａを流れ、液管接続部５２ａを介して液管８ａに流出する。液管８ａを流れる冷媒は、膨張弁１００ａで減圧されて液側閉鎖弁２６ａを介して室外機２に流入し、液側閉鎖弁２６ａから室外機液分管４４ａに流入する。また、室内熱交換器５１ｂから流出した冷媒は室内機液管７１ｂを流れ、液管接続部５２ｂを介して液管８ｂに流出する。液管８ｂを流れる冷媒は、膨張弁１００ｂで減圧されて液側閉鎖弁２６ｂを介して室外機２に流入し、液側閉鎖弁２６ｂから室外機液分管４４ｂに流入する。また、室内熱交換器５１ｃから流出した冷媒は室内機液管７１ｃを流れ、液管接続部５２ｃを介して液管８ｃに流出する。液管８ｃを流れる冷媒は、膨張弁１００ｃで減圧されて液側閉鎖弁２６ｃを介して室外機２に流入し、液側閉鎖弁２６ｃから室外機液分管４４ｃに流入する。
【００４９】
室外機液分管４４ａ〜４４ｃのそれぞれを流れる冷媒は、室外機液管４４で合流する。室外機液管４４で合流した冷媒は、室外機液管４４を流れて室外熱交換器２３に流入する。室外熱交換器２３に流入した冷媒は、室外ファン２５の回転により室外機２の内部に取り込まれた外気と熱交換を行って蒸発する。
【００５０】
室外熱交換器２３から冷媒配管４３に流出した冷媒は、四方弁２２、冷媒配管４６、アキュムレータ２８、吸入管４２の順に流れ、圧縮機２１に吸入されて再び圧縮される。
【００５１】
尚、空気調和装置１が冷房運転を行う場合、ＣＰＵ２１０は、四方弁２２を破線で示す状態、すなわち、四方弁２２のポートａとポートｂが連通するよう、また、ポートｃとポートｄが連通するように切り換える。これにより、冷媒回路１００は、室外熱交換器２３が凝縮器として機能するとともに室内熱交換器５１ａ〜５１ｃがそれぞれ蒸発器として機能する冷房サイクルとなる。
＜冷媒配管や配線の接続の正誤判定＞
【００５２】
次に、図２乃至図４を用いて、本実施形態の空気調和装置１で冷媒回路１０を暖房サイクルとして、冷媒配管８ａ〜８ｃの接続、および、第１配線２５０ａおよび第１枝配線２５０ａａ〜２５０ａｃの接続、および、第２配線２５０ｂおよび第２枝配線２５０ｂａ〜２５０ｂｃの接続の正誤を判定する（以降、特に必要な場合を除き単に「正誤判定」と記載する）方法について説明する。ここで、正誤判定とは、室外機２と各室内機５ａ〜５ｃが、図１に示すとおりに、冷媒配管８ａ〜８ｃと、第１配線２５０ａおよび第１枝配線２５０ａａ〜２５０ａｃと、第２配線２５０ｂおよび第２枝配線２５０ｂａ〜２５０ｂｃで接続されているか否かを判定することである。言い換えると、冷媒配管８ａ〜８ｃ、第１配線２５０ａおよび第１枝配線２５０ａａ〜２５０ａｃ、第２配線２５０ｂおよび第２枝配線２５０ｂａ〜２５０ｂｃのうちのいずれかが誤って接続されているか否かを判定することである。
【００５３】
正誤判定の具体的な方法は、次の通りである。冬季や寒冷地等に空気調和装置１を設置したとき、まず、冷媒回路１０が暖房サイクルとされ、圧縮機２１が所定回転数で起動され、室内ファン５４ａ〜５４ｃがそれぞれ所定回転数で起動され、膨張弁１００ａ〜１００ｃがそれぞれ所定の開度とされて、冷媒回路１０を安定させる。
【００５４】
尚、圧縮機２１の所定回転数とは、例えば、凝縮器として機能する室内熱交換器５１ａ〜５１ｃにおけるそれぞれの凝縮温度（熱交温度センサ６１ａ〜６１ｃで検出できる）が室温（室内温度センサ６２ａ〜６２ｃで検出できる）＋１５℃の温度となる回転数である。また、室内ファン５４ａ〜５４ｃの所定回転数とは、室内熱交換器５１ａ〜５１ｃにおける凝縮温度を室温＋１５℃とでき、かつ、蒸発器として機能する室外熱交換器２３で着霜が発生しない程度の低い回転数である。また、膨張弁１００ａ〜１００ｃの所定開度とは、例えば、全開と全閉の中間の開度である。そして、冷媒回路１０が安定するとは、例えば、凝縮温度が室温＋１５℃に到達して５分が経過した状態である。
【００５５】
冷媒回路１０が安定すれば、このときの室内機５ａ〜５ｃの熱交温度センサ６１ａ〜６１ｃで熱交温度（以降、判定前熱交温度と記載）が検出され、その後膨張弁１００ａ〜１００ｃのうちいずれか１つが全閉とされる。そして、図２に示す判定時間テーブル３００から抽出した判定時間（単位：ｍｉｎ。以降、判定時間ｔｊと記載する）の間、当該膨張弁を全閉とする状態を維持する。
【００５６】
ここで、判定時間テーブル３００は、予め試験等を行って求められて室外機制御手段２００の記憶部２２０に記憶されているものであり、室外機２に接続される（ことが想定される）室内機の熱交換量（以降、熱交換量Ｈａと記載）に応じて、膨張弁１００ａ〜１００ｃを全閉の状態で維持する時間である上述した判定時間ｔｊを定めたものである。
【００５７】
熱交換量Ｈａとは、室内熱交換器において単位時間当たりに冷媒と室内空気との間で交換される熱量を意味し、流入する冷媒量が同じで室内熱交換器の大きさが異なる場合や、室内熱交換器の大きさが同じであっても室外機と接続される冷媒配管の長さが室内機毎に異なって、各室内機に流入する冷媒量が異なる場合に、熱交換量Ｈａに違いが生じる。従って、各室内熱交換器に流入する冷媒量や風量が同じである場合、熱交換量Ｈａが小さい室内熱交換器は、熱交換量Ｈａが大きい室内熱交換器と比べて、熱交温度の単位時間当たりの変化量が小さくなる。
【００５８】
上記内容を踏まえて、判定時間テーブル３００では、熱交換量Ｈａが小さいほど判定時間ｔｊが長くなるように設定されている。具体的には、熱交換量Ｈａが一番小さい値Ａであるときの判定時間ｔｊは一番長いｔｊａとされており、熱交換量ＨａがＡ→Ｂ→Ｃと大きくなるのにつれて判定時間ｔｊはｔｊａ→ｔｊｂ→ｔｊｃと短くなるように定められている。
【００５９】
そして、膨張弁１００ａ〜１００ｃのいずれかが全閉とされた後は、全閉とされた膨張弁１００ａ〜１００ｃに対応する室内機５ａ〜５ｃの熱交換量Ｈａに応じた判定時間ｔｊａ〜ｔｊｃの間、全閉である状態を維持する。尚、これら判定時間ｔｊａ〜ｔｊｃは、全閉とされたいずれかの膨張弁１００ａ〜１００ｃに対応する室内熱交換器５１ａ〜５１ｃにおいて、熱交温度センサ６１ａ〜６１ｃで検出する熱交温度が、膨張弁１００ａ〜１００ｃのいずれかの全閉による冷媒流入の遮断によって低下するまでに必要な時間であり、前述したように予め試験等を行って求められて判定時間テーブル３００として記憶されているものである。
【００６０】
熱交換量Ｈａが小さい室内熱交換器に対応する膨張弁を全閉とする判定時間が、熱交換量Ｈａが大きい室内熱交換器に対応する膨張弁を全閉とする判定時間と同じであれば、この判定時間の間に熱交換量Ｈａが小さい室内熱交換器における膨張弁の全閉前後の熱交温度の低下度合は、熱交換量Ｈａが大きい室内熱交換器における膨張弁の全閉前後の熱交温度の低下度合と比べて小さい。しかし、上述したように、熱交換量Ｈａが小さいほど判判定時間ｔｊを長くすれば、熱交換量Ｈａが小さい室内熱交換器でも熱交換量Ｈａが大きい室内熱交換器と同等の膨張弁の全閉前後の熱交温度の低下度合とできる。
【００６１】
膨張弁１００ａ〜１００ｃのうちの１つが全閉とされ、全閉とされた膨張弁１００ａ〜１００ｃのいずれか１つ（以降、必要な場合を除いて全閉膨張弁と記載する）に対応する室内機５ａ〜５ｃのいずれか１台（以降、必要な場合を除いて判定室内機と記載する）の判定時間ｔｊが経過した後、全閉膨張弁に対応する判定室内機の熱交温度センサ６１ａ〜６１ｃのいずれか１つ（以降、必要な場合を除いて判定熱交温度センサと記載する）で検出した熱交温度（以降、全閉後熱交温度と記載）が取り込まれて、当該室内機の判定前熱交温度から全閉後熱交温度を減じた温度差が算出される。そして、この温度差が所定の閾温度差（例えば、５℃、以降、閾温度差Ｔｔｈと記載）以上であれば、全閉膨張弁に対応する室内熱交換器５１ａ〜５１ｃのいずれか１台（以降、必要な場合を除いて判定室内熱交換器と記載する）に流入する冷媒量が減少したことによって全閉後熱交温度が大きく低下したと考えられるので、全閉膨張弁と熱交温度を取り込んだ判定室内機５ａ〜５ｃの間の冷媒配管や配線の接続は正しいと判定できる。
【００６２】
これとは反対に、膨張弁１００ａ〜１００ｃのうちの１つが全閉とされ、全閉膨張弁に対応する判定室内機の判定時間ｔｊが経過した後、全閉膨張弁に対応する判定室内機の判定熱交温度センサで検出した全閉後熱交温度を当該室内機の判定前熱交温度から減じた温度差が、所定の閾温度差Ｔｔｈ差未満であれば、当該室内機の室内熱交換器に流入する冷媒量がほとんど変化していない、つまり、当該室内機に対応する膨張弁が全閉とされていないか、あるいは、全閉膨張弁に対応しない室内機５ａ〜５ｃのいずれかの熱交温度を取り込んでいると考えられるので、全閉膨張弁と熱交温度を取り込んだ判定室内機の間の冷媒配管あるいは配線のいずれかの接続が誤っていると判定できる。
【００６３】
以上説明した正誤判定の結果を、本実施形態の空気調和装置１では図３に示す配管・配線接続判定テーブル４００として記憶部２２０に記憶している。この配管・配線接続判定テーブル４００では、室内機５ａ〜５ｃ毎に、熱交換量Ｈａ、判定時間ｔｊ、判定前熱交温度（以降、判定前熱交温度ＴＢＥ（単位：℃）と記載。室内機５ａ〜５ｃ個別に言及する必要がある場合は、ＴＢＥａ〜ＴＢＥｃと記載）、全閉後熱交温度（以降、全閉後熱交温度ＴＡＦ（単位：℃）と記載。室内機５ａ〜５ｃ個別に言及する必要がある場合は、ＴＡＦａ〜ＴＡＦｃと記載）、および判定結果が記憶されている。
【００６４】
上述した配管・配線接続判定テーブル４００において、熱交換量Ｈａは空気調和装置１の設置時に作業者によって入力された値が記憶されるものである。また、判定時間ｔｊは、判定時間テーブル３００を参照し、記憶した室内機５ａ〜５ｃの熱交換量Ｈａに応じた判定時間ｔｊを抽出し、これを室内機５ａ〜５ｃ毎に記憶する。尚、判定時間ｔｊは、本実施形態のように判定時間テーブル３００を参照して抽出した値を記憶するのではなく、熱交換量Ｈａと同様に作業者によって入力された値を記憶してもよい。また、室外機２に接続される室内機が予め判明している場合や、室外機２と室内機５ａ〜５ｃを接続する冷媒配管の長さが予め判明している場合は、室外機２の出荷時等に熱交換量Ｈａと判定時間ｔｊを予め記憶していてもよい。
【００６５】
一方、判定前熱交温度ＴＢＥと全閉後熱交温度ＴＡＦと判定結果は、正誤判定を行って室内機５ａ〜５ｃ毎に記憶されるものであり、判定前熱交温度ＴＢＥは膨張弁１００ａ〜１００ｃの全閉前の所定開度時における熱交温度センサ６１ａ〜６１ｃの検出値であり、全閉後熱交温度ＴＡＦは膨張弁１００ａ〜１００ｃを全閉としてから判定時間ｔｊが経過した後の熱交温度センサ６１ａ〜６１ｃの検出値である。また、判定結果は、判定前熱交温度ＴＢＥから全閉後熱交温度ＴＡＦを減じた温度差と閾温度差を比較した結果に応じて「ＯＫ」あるいは「ＮＧ」と判定された結果が記憶されるものである。
【００６６】
尚、本実施形態における配管・配線接続判定テーブル４００では、一例として、室内機５ａについては、熱交換量ＨａはＢ、判定時間ｔｊは判定時間テーブル３００を参照し熱交換量Ｈａ＝Ｂに対応する判定時間ｔｊｂ、判定前熱交温度ＴＢＥが３０℃、全閉後熱交温度ＴＡＦが２２℃、判定前熱交温度ＴＢＥと全閉後熱交温度ＴＡＦの温度差が８℃であり閾温度差Ｔｔｈである５℃より大きいため判定結果が「ＯＫ」である場合を示している。つまり、室外機２と室内機５ａと膨張弁１００ａについては冷媒配管や配線の接続が正しい（図１に示す通り、液管８ａと第１配線２５０ａおよび第１枝配線２５０ａａで室外機２と室内機５ａが、また、第２配線２５０ｂおよび第２枝配線２５０ｂａで室外機２と膨張弁１００ａが接続されている）場合を示している。
【００６７】
また、室内機５ｂについては、熱交換量ＨａはＣ、判定時間ｔｊは判定時間テーブル３００を参照し熱交換量Ｈａ＝Ｃに対応する判定時間ｔｊｃ、判定前熱交温度ＴＢＥが３０℃、全閉後熱交温度ＴＡＦが２８℃、判定前熱交温度ＴＢＥと全閉後熱交温度ＴＡＦの温度差が２℃であり閾温度差Ｔｔｈである５℃より小さいため判定結果が「ＮＧ」である場合を示している。
【００６８】
さらには、室内機５ｃについては、熱交換量ＨａはＡ、判定時間ｔｊは判定時間テーブル３００を参照し熱交換量Ｈａ＝Ａに対応する判定時間ｔｊａ、判定前熱交温度ＴＢＥが３０℃、全閉後熱交温度ＴＡＦが２９℃、判定前熱交温度ＴＢＥと全閉後熱交温度ＴＡＦの温度差が１℃であり閾温度差Ｔｔｈである５℃より小さいため判定結果が「ＮＧ」である場合を示している。
【００６９】
つまり、室外機２と室内機５ｂと膨張弁１００ｂ、および、室外機２と室内機５ｃと膨張弁１００ｃのいずれについても、図１に示す通りではなく、液管８ｂと液管８ｃが誤って接続（液管８ｂで室外機２と室内機５ｃが接続され、液管８ｃで室外機２と室内機５ｂが接続）されているか、あるいは、第１枝配線２５０ａｂと第１枝配線２５０ａｃが誤って接続（第１枝配線２５０ａｂで室外機２と室内機５ｃが接続され、第１枝配線２５０ａｃで室外機２と室内機５ｂが接続）されているか、あるいは、第２枝配線２５０ｂｂと第２枝配線２５０ｂｃが誤って接続（第２枝配線２５０ｂｂで室外機２と膨張弁１００ｃが接続され、第２枝配線２５０ｂｃで室外機２と膨張弁１００ｂが接続）されていて、室内機５ｂと室内機５ｃにおける冷媒配管あるいは配線のいずれかの接続が誤りである場合を示している。
【００７０】
以上のように、膨張弁１００ａ〜１００ｃを全閉とする前後の熱交温度である判定前熱交温度ＴＢＥと全閉後熱交温度ＴＡＦの温度差を用いて正誤判定を行うときに、図２に示す判定時間テーブル３００を用いて室内機５ａ〜５ｃの熱交換量Ｈａに応じた判定時間ｔｊを選択し、膨張弁１００ａ〜１００ｃを選択した判定時間ｔｊの間全閉とする。これにより、室内熱交換器５１ａ〜５１の熱交換量Ｈａに違いがあっても、冷媒配管や配線の接続が正しい場合は、膨張弁１００ａ〜１００ｃの全閉前後で室内熱交換器５１ａ〜５１における熱交温度が全て同じように変化する。従って、確実に冷媒配管や配線の接続の正誤判定を行うことができる。
＜正誤判定の処理の流れ＞
【００７１】
次に、図４を用いて、暖房運転で正誤判定を行う際の処理について説明する。尚、図４において、ＳＴは処理のステップを表し、これに続く数字はステップ番号を表している。また、図４では、本発明に関わる処理を中心に説明しており、これ以外の処理、例えば主に室外機２（の室外機制御手段２００）が行う冷媒回路１０の圧力や温度に関わる制御といった空気調和装置１の一般的な制御に関わる処理については説明を省略する。
【００７２】
室外機制御手段２００のＣＰＵ２１０は正誤判定を開始すると、圧縮機２１を所定回転数で起動するとともに、室内機５ａ〜５ｃに対し室内ファン５４ａ〜５４ｃの各々の起動時回転数である所定回転数を含む室内ファン起動信号を送信する（ＳＴ１）。前述したように、圧縮機２１の所定回転数は、凝縮器として機能する室内熱交換器５１ａ〜５１ｃにおける凝縮温度が室温＋１５℃の温度となる回転数である。また、室内ファン５４ａ〜５４ｃのそれぞれの所定回転数は、室内熱交換器５１ａ〜５１ｃにおける凝縮温度を室温＋１５℃とでき、かつ、蒸発器として機能する室外熱交換器２３で着霜が発生しない程度の低い回転数である。
【００７３】
次に、ＣＰＵ２１０は、膨張弁ボックス１００の膨張弁１００ａ〜１００ｃに所定開度を含む開度信号を送信する（ＳＴ２）。前述したように、膨張弁１００ａ〜１００ｃの所定開度は、全開と全閉の中間の開度である。
【００７４】
次に、ＣＰＵ２１０は、冷凍サイクルが安定したか否かを判断する（ＳＴ３）。前述したように、冷凍サイクルが安定するとは、凝縮温度が室温＋１５℃に到達して５分が経過した状態である。ＣＰＵ２１０は、図示しないタイマー機能を有しており、高圧センサ３１で検出した高圧をセンサ入力部２４０を介して取り込み、取り込んだ高圧を用いて算出した凝縮温度が室温＋１５℃に到達した時点でタイマーによる計時を開始し、凝縮温度が室温＋１５℃に到達してから５分経過するか否かを確認する。尚、ＣＰＵ２１０は、上記タイマーによる計時が終了すれば、タイマーをリセットする。
【００７５】
冷凍サイクルが安定していなければ（ＳＴ３−Ｎｏ）、ＣＰＵ２１０は、ＳＴ３に処理を戻して冷凍サイクルが安定するのを待つ。冷凍サイクルが安定すれば（ＳＴ３−Ｙｅｓ）、ＣＰＵ２１０は、熱交温度センサ６１ａ〜６１ｃの各々が検出した室内機５ａ〜５ｃの熱交温度である判定前熱交温度ＴＢＥ（ＴＢＥａ〜ＴＢＥｃ）を含む信号を、室内機５ａ〜５ｃから受信する（ＳＴ４）。ＣＰＵ２１０は、受信した信号に含まれる判定前熱交温度ＴＢＥａ〜ＴＢＥｃを、室内機５ａ〜５ｃに対応付けて記憶部２２０にある配管・配線接続判定テーブル４００に記憶する。
【００７６】
次に、ＣＰＵ２１０は、室内機５ａに対応する膨張弁１００ａに向けて、当該膨張弁を全閉とする全閉信号を送信する（ＳＴ５）。ここで、全閉信号には、膨張弁１００ａの全閉に対応するパルス数（０パルス）が含まれている。
【００７７】
次に、ＣＰＵ２１０は、配管・配線接続判定テーブル４００を参照して室内機５ａに対応する判定時間ｔｊｂを読み出すとともに、タイマーによる計時を開始する（ＳＴ６）。
【００７８】
次に、ＣＰＵ２１０は、ＳＴ６の処理を開始してから読み出した判定時間ｔｊｂが経過したか否かを判断する（ＳＴ７）。判定時間ｔｊｂが経過していなければ（ＳＴ７−Ｎｏ）、ＣＰＵ２１０は、ＳＴ７に処理を戻す。
【００７９】
判定時間ｔｊｂが経過していれば（ＳＴ７−Ｙｅｓ）、ＣＰＵ２１０は、タイマーをリセットして室内機５ａ〜５ｃのいずれかから送信された、全閉後熱交温度ＴＡＦを含む信号を受信する（ＳＴ８）。ＣＰＵ２１０は、上記信号から全閉後熱交温度ＴＡＦを抽出しこれを全閉後熱交温度ＴＡＦａとして、室内機５ａに対応付けて記憶部２２０にある配管・配線接続判定テーブル４００に記憶する。
【００８０】
次に、ＣＰＵ２１０は、記憶部２２０から判定前熱交温度ＴＢＥａと全閉後熱交温度ＴＡＦａを読み出し、判定前熱交温度ＴＢＥａから全閉後熱交温度ＴＡＦａを減じた温度差が閾温度差Ｔｔｈ以上であるか否かを判断する（ＳＴ９）。
【００８１】
温度差が閾温度差Ｔｔｈ以上であれば（ＳＴ９−Ｙｅｓ）、ＣＰＵ２１０は、正誤判定の結果をＯＫ、つまり、室外機２と室内機５ａおよび室外機２と膨張弁１００ａは、図１に示すように液管８ａ、第１配線２５０ａおよび第１枝配線２５０ａａ、第２配線２５０ｂおよび第２枝配線２５０ｂａで正しく接続されていると判定し（ＳＴ１０）、ＳＴ１２に処理を進める。一方、温度差が閾温度差Ｔｔｈ未満であれば（ＳＴ９−Ｎｏ）、ＣＰＵ２１０は、正誤判定の結果をＮＧ、つまり、室外機２と室内機５ａおよび室外機２と膨張弁１００ａを接続する液管８ａ、第１配線２５０ａおよび第１枝配線２５０ａａ、第２配線２５０ｂおよび第２枝配線２５０ｂａのうちのいずれかが誤っていると判定し（ＳＴ１１）、ＳＴ１２に処理を進める。
【００８２】
ＳＴ１２以降の処理については、ＣＰＵ２１０は、上述したＳＴ５〜ＳＴ１１までと同じ処理を室内機５ｂについて実行し（ＳＴ１２〜ＳＴ１８が該当する処理）、その次にＳＴ５〜ＳＴ１１までと同じ処理を室内機５ｃについて実行する（ＳＴ１９〜ＳＴ２５が該当する処理）。各室内機５ｂ、５ｃについての正誤判定の処理は、室内機５ａの場合と同じであるため、説明は省略する。尚、ＣＰＵ２１０は、室外機２に設けられる図示しない表示部に、ＳＴ１０、ＳＴ１１、ＳＴ１７、ＳＴ１８、ＳＴ２４、および、ＳＴ２５の判定結果を表示することで、空気調和装置１の設置作業者に判定結果を通知する。
【００８３】
ＳＴ２４もしくはＳＴ２５の処理を終えたＣＰＵ２１０は、正誤判定に関わる処理を終了する。
【００８４】
尚、以上説明した実施形態では、全閉とした膨張弁１００ａ〜１００ｃに対応する室内機５ａ〜５ｃの全閉後熱交温度ＴＡＦのみを検出し、当該室内機のみ判定前熱交温度ＴＢＥと全閉後熱交温度ＴＡＦの温度差を求めて閾温度差Ｔｔｈと比較することで正誤判定を行っている。しかし、これに限られず、膨張弁１００ａ〜１００ｃのいずれかを全閉とした後に全ての全閉後熱交温度ＴＡＦを検出し、全ての室内機５ａ〜５ｃで判定前熱交温度ＴＢＥと全閉後熱交温度ＴＡＦの温度差を求めて、温度差が一番大きくなる室内機が全閉とした膨張弁に対応するものか否かを確認した後に、当該温度差を閾温度差Ｔｔｈと比較してもよい。
【００８５】
以上説明した本実施形態の空気調和装置１では、冷媒回路１０を暖房サイクルとして冷媒配管や配線の接続の正誤判定を行うときに、室内機５ａ〜５ｃの熱交換量Ｈａに応じた判定時間ｔｊの間膨張弁１００ａ〜１００ｃを全閉とする。これにより、膨張弁１００ａ〜１００ｃの全閉前後で室内熱交換器５１ａ〜５１における熱交温度が全て同じように変化する、つまり、各室内機５ａ〜５ｃにおける判定前熱交温度ＴＢＥと全閉後熱交温度ＴＡＦの温度差を全て適切な値とできるので、いかなる熱交換量Ｈａを有する室内機５ａ〜５ｃが室外機２に接続されていても正誤判定を行うことができる。
【実施例２】
【００８６】
次に、本発明の空気調和装置の第２の実施形態について、図５乃至図７を用いて説明する。第１の実施形態における空気調和装置１では、正誤判定を行うときに、室内機５ａ〜５ｃの室内熱交換器５１ａ〜５１ｃにおける熱交換量Ｈａに応じて膨張弁１００ａ〜１００ｃを全閉とする判定時間ｔｊを異ならせた。
【００８７】
これに対し、本実施形態の空気調和装置で正誤判定を行うときは、まず、膨張弁１００ａ〜１００ｃのそれぞれを全閉とする判定時間ｔｊを同じ判定時間（単位：ｍｉｎ。以降、基本判定時間ｔｊｍと記載する）とする。そして、膨張弁１００ａ〜１００ｃそれぞれの全閉前後に検出した判定前熱交温度ＴＢＥと全閉後熱交温度ＴＡＦの温度差が閾温度差Ｔｔｈ以上である室内機では、第１の実施形態と同様に当該室内機と室外機２と当該室内機に対応する膨張弁の冷媒配管の接続および配管の接続は正しいと判定する。
【００８８】
一方、全閉前後に検出した判定前熱交温度ＴＢＥと全閉後熱交温度ＴＡＦの温度差が閾温度差Ｔｔｈ
未満である室内機では、当該室内機の熱交換量Ｈａに応じて予め定められた延長判定時間（単位：ｍｉｎ。以降、延長判定時間ｔｐと記載する）だけ当該室内機に対応する膨張弁を全閉とし、延長判定時間ｔｐが経過した後の全閉後熱交温度ＴＡＦと判定前熱交温度ＴＢＥの温度差を用いて正誤判定を行う。
【００８９】
以下、図５乃至図７を用いて本実施形態における正誤判定について説明するが、上述した第１の実施形態における正誤判定の方法と異なる部分以外については第１の実施形態と同じであるため、詳細な説明は省略し、第１の実施形態と異なる部分について詳細に説明する。
＜冷媒配管や配線の接続の正誤判定＞
【００９０】
図２および図５乃至図７を用いて、本実施形態の空気調和装置１で冷媒回路１０を暖房サイクルとして、冷媒配管８ａ〜８ｃの接続、および、第１配線２５０ａおよび第１枝配線２５０ａａ〜２５０ａｃの接続、および、第２配線２５０ｂおよび第２枝配線２５０ｂａ〜２５０ｂｃの接続の正誤を判定する方法について説明する。
【００９１】
本実施形態の空気調和装置１で行う正誤判定の具体的な方法は、次の通りである。冬季や寒冷地等に空気調和装置１を設置したとき、まず、冷媒回路１０が暖房サイクルとされ、圧縮機２１が所定回転数で起動され、室内ファン５４ａ〜５４ｃがそれぞれ所定回転数で起動され、膨張弁１００ａ〜１００ｃがそれぞれ所定の開度とされて、冷媒回路１０を安定させる。尚、圧縮機２１および室内ファン５４ａ〜５４ｃの各所定回転数や、膨張弁１００ａ〜１００ｃのそれぞれの所定の開度、および、冷媒回路１０の安定については、第１の実施形態と同じであるため、説明を省略する。
【００９２】
冷媒回路１０が安定すれば、このときの室内機５ａ〜５ｃの熱交温度センサ６１ａ〜６１ｃで判定前熱交温度ＴＢＥａ〜ＴＢＥｃが検出される。判定前熱交温度ＴＢＥａ〜ＴＢＥｃが検出された後、膨張弁１００ａ〜１００ｃが順に予め定められた基本判定時間ｔｊｍの間全閉とされる。ここで、基本判定時間ｔｊｍは、予め試験等を行って求められて記憶部２２０に記憶されているものであり、室外機２に接続される室内機５ａ〜５ｃのうち熱交換量Ｈａが一番大きい室内機の室内熱交換器において、当該室内熱交換器の熱交温度センサで検出する熱交温度が、当該室内機に対応する膨張弁を全閉としたことによる冷媒流入の遮断によって低下するまでに必要な時間である。
【００９３】
全ての膨張弁１００ａ〜１００ｃを順に基本判定時間ｔｊｍの間全閉とし、各室内機５ａ〜５ｃにおける判定前熱交温度ＴＢＥと全閉後熱交温度ＴＡＦの温度差を求めて閾温度差Ｔｔｈと比較した結果、当該温度差が閾温度差Ｔｔｈ以上となる室内機では、当該室内機と室外機２と当該室内機に対応する膨張弁の冷媒配管の接続および配管の接続は正しいと判定する。一方、判定前熱交温度ＴＢＥと全閉後熱交温度ＴＡＦの温度差が閾温度差Ｔｔｈ未満である室内機では、当該室内機のみ、図５に示す延長判定時間テーブル５００を参照して抽出した延長判定時間ｔｐだけ当該室内機に対応する膨張弁を全閉とする。
【００９４】
ここで、延長判定時間テーブル５００は、予め試験等を行って求められて室外機制御手段２００の記憶部２２０に記憶されているものであり、室外機２に接続される（ことが想定される）室内機の熱交換量Ｈａに応じて、膨張弁１００ａ〜１００ｃを全閉とする時間を基本判定時間ｔｊｍに加えて延長する時間である延長判定時間ｔｐを定めたものである。
【００９５】
第１の実施形態でも説明したが、熱交換量Ｈａとは、室内熱交換器において単位時間当たりに冷媒と室内空気との間で交換される熱量を意味し、流入する冷媒量が同じで室内熱交換器の大きさが異なる場合や、室内熱交換器の大きさが同じであっても室外機と接続される冷媒配管の長さが室内機毎に異なって、各室内機に流入する冷媒量が異なる場合に、熱交換量Ｈａに違いが生じる。従って、各室内熱交換器に流入する冷媒量や風量が同じである場合、熱交換量Ｈａが小さい室内熱交換器は、熱交換量Ｈａが大きい室内熱交換器と比べて、熱交温度の単位時間当たりの変化量が小さくなる。
【００９６】
上記内容を踏まえて、延長判定時間テーブル５００では、熱交換量Ｈａが一番大きい値であるＣであるときを基準（延長判定時間ｔｐを０ｍｉｎとする）としている。これは、前述したように、本実施形態では熱交換量Ｈａが一番大きい室内機を元に基本判定時間ｔｊｍを定めているからである。そして、熱交換量ＨａがＣより小さいＢの場合の延長判定時間ｔｐをｔｐｂ、Ｂより小さいＡの場合の延長判定時間ｔｐをｔｐａ（＞ｔｐｂ）と定めている。
【００９７】
尚、これら延長判定時間ｔｐａおよびｔｐｂは、全閉とされたいずれかの膨張弁１００ａ〜１００ｃに対応する室内熱交換器５１ａ〜５１ｃにおいて、熱交温度センサ６１ａ〜６１ｃで検出する熱交温度が、膨張弁１００ａ〜１００ｃのいずれかの全閉による冷媒流入の遮断によって低下するまでに必要な時間が基本判定時間ｔｊｍでは足りず、基本判定時間ｔｊｍに加えて延長判定時間ｔｐａあるいはｔｐｂだけ全閉とする時間を延長することで、熱交温度が低下するまでに必要な時間となることが、予め試験等を行って判明している時間である。
【００９８】
膨張弁１００ａ〜１００ｃを順に基本判定時間ｔｊｍの間全閉として検出した各室内機５ａ〜５ｃにおける判定前熱交温度ＴＢＥと全閉後熱交温度ＴＡＦの温度差のうち、温度差が閾温度差Ｔｔｈ未満となった室内機について、当該室内機に対応する膨張弁を、基本判定時間ｔｊｍに加えて当該室内機で定められる延長判定時間ｔｐだけ全閉とし、延長判定時間ｔｐが経過すれば全閉とされた膨張弁に対応する室内機の全閉後熱交温度が取り込まれて、当該室内機の判定前熱交温度ＴＢＥから全閉後熱交温度ＴＡＦを減じた温度差が再び算出される。
【００９９】
そして、この温度差が閾温度差Ｔｔｈ以上であれば、全閉とされた膨張弁と全閉後熱交温度を取り込んだ室内機の間の冷媒配管や配線の接続は正しいと判定でき、温度差が閾温度差Ｔｔｈ未満であれば、全閉とされた膨張弁と全閉後熱交温度を取り込んだ室内機の間の冷媒配管や配線の接続は誤っていると判定できる。
【０１００】
以上説明した正誤判定の結果を、本実施形態の空気調和装置１では図６に示す配管・配線接続判定テーブル６００として記憶部２２０に記憶している。この配管・配線接続判定テーブル６００は、室内機５ａ〜５ｃ毎に、熱交換量Ｈａ、延長判定時間ｔｐ、判定前熱交温度ＴＢＥ、全閉後熱交温度ＴＡＦ、および判定結果が記憶されている。
【０１０１】
上述した配管・配線接続判定テーブル６００において、熱交換量Ｈａ、判定前熱交温度ＴＢＥ、全閉後熱交温度ＴＡＦ、および、判定結果は、第１の実施形態で説明した配管・配線接続判定テーブル４００と同じであるため、ここでは、延長判定時間ｔｐのみ説明する。延長判定時間ｔｐは、延長判定時間テーブル５００を参照し、記憶した室内機５ａ〜５ｃの熱交換量Ｈａに応じた延長判定時間ｔｐを抽出し、これを室内機５ａ〜５ｃ毎に記憶する。
【０１０２】
本実施形態における配管・配線接続判定テーブル６００では、一例として、室内機５ａは熱交換量ＨａがＢであるので、延長判定時間ｔｐは延長判定時間テーブル５００を参照し熱交換量Ｈａ＝Ｂに対応する延長判定時間ｔｐｂとなる。また、室内機５ｃは熱交換量ＨａがＡであるので、延長判定時間ｔｐは、延長判定時間テーブル５００を参照し熱交換量Ｈａ＝Ａに対応する延長判定時間ｔｐａとなる。尚、室内機５ｂについては熱交換量ＨａがＣであり、前述したように延長判定時間ｔｐの基準であるので、延長判定時間ｔｐは設定されない（図６では、室内機５ｂに対応する延長判定時間ｔｐは「―――」としている）。
【０１０３】
尚、延長判定時間ｔｐは、本実施形態のように延長判定時間テーブル５００を参照して抽出した値を記憶するのではなく、熱交換量Ｈａと同様に作業者によって入力された値を記憶してもよい。また、室外機２に接続される室内機が予め判明している場合や、室外機２と室内機５ａ〜５ｃを接続する冷媒配管の長さが予め判明している場合は、室外機２の出荷時等に熱交換量Ｈａと延長判定時間ｔｐを予め記憶していてもよい。
【０１０４】
以上のように、膨張弁１００ａ〜１００ｃを全閉とする前後の熱交温度である判定前熱交温度ＴＢＥと全閉後熱交温度ＴＡＦの温度差を用いて正誤判定を行うときに、当該温度差が閾温度差Ｔｔｈ未満である室内機がある場合は、図５に示す延長判定時間テーブル５００を用いて当該室内機の熱交換量Ｈａに応じた延長判定時間ｔｐを選択し、当該室内機に対応する膨張弁を延長判定時間ｔｐだけ全閉とする。これにより、室内熱交換器５１ａ〜５１ｃの熱交換量Ｈａに違いがあっても、冷媒配管や配線の接続が正しい場合は、膨張弁１００ａ〜１００ｃの全閉前後で室内熱交換器５１ａ〜５１ｃにおける熱交温度が全て同じように変化する。従って、確実に冷媒配管や配線の接続の正誤判定を行うことができる。
＜正誤判定の処理の流れ＞
【０１０５】
次に、図７を用いて、暖房運転で正誤判定を行う際の処理について説明する。尚、図７において、ＳＴは処理のステップを表し、これに続く数字はステップ番号を表している。また、図７では、本発明に関わる処理を中心に説明しており、これ以外の処理、例えば主に室外機２（の室外機制御手段２００）が行う冷媒回路１０の圧力や温度に関わる制御といった空気調和装置１の一般的な制御に関わる処理については説明を省略する。
【０１０６】
尚、図７に示すフローチャートは、第１の実施形態における暖房運転で正誤判定を行う際の処理を示す図４のフローチャートと比べて次の点で異なる。まず、第１の実施形態では、図４のＳＴ６、ＳＴ１３およびＳＴ２０で、各室内機５ａ〜５ｃに対応する判定時間ｔｊ（ｔｊａ〜ｔｊｃ）を読み出してタイマーによる計時を開始し、ＳＴ７、ＳＴ１４およびＳＴ２１でタイマーによる計時を開始してから各判定時間ｔｊが経過したか否かを判断している。これに対し、本実施形態では、図４のＳＴ６、ＳＴ１３およびＳＴ２０にそれぞれ対応する図７のＳＴ３６、ＳＴ４７およびＳＴ５４では、タイマーによる計時を開始するのみであり、図４のＳＴ７、ＳＴ１４、およびＳＴ２１にそれぞれ対応する図７のＳＴ３７、ＳＴ４８、およびＳＴ５５では、ＳＴ３７、ＳＴ４８、およびＳＴ５５でタイマーによる計時を開始してから基本判定時間ｔｊｍが経過したか否かを判断している。
【０１０７】
次に、第１の実施形態では、図４のＳＴ９、ＳＴ１６およびＳＴ２３で、各室内機５ａ〜５ｃにおいて判定前熱交温度ＴＢＥ（ＴＢＥａ〜ＴＢＥｃ）から全閉後熱交温度ＴＡＦ（ＴＡＦａ〜ＴＡＦｃ）を減じたそれぞれの温度差が閾温度差Ｔｔｈ以上でなければ、ＳＴ１１、ＳＴ１８およびＳＴ２５で判定：ＮＧとしている。これに対し、本実施形態では、図４のＳＴ９に対応する図７のＳＴ３９で室内機５ａにおいて判定前熱交温度ＴＢＥａから全閉後熱交温度ＴＡＦａを減じた温度差が閾温度差Ｔｔｈ以上でなければ、図７に示すＳＴ４１〜ＳＴ４４の処理を行う。
【０１０８】
また、図４のＳＴ２３に対応する図７のＳＴ５７で室内機５ｃにおいて判定前熱交温度ＴＢＥｃから全閉後熱交温度ＴＡＦｃを減じた温度差が閾温度差Ｔｔｈ以上でなければ、図７におけるＳＴ５９〜ＳＴ６２の処理を行う。尚、図４のＳＴ１６に対応する図７のＳＴ５０で、室内機５ｂにおいて判定前熱交温度ＴＢＥｂから全閉後熱交温度ＴＡＦｂを減じた温度差が閾温度差Ｔｔｈ以上でないときは、第１の実施形態と同じくＳＴ５２で判定：ＮＧとする。これは、前述したように室内機５ｂには延長判定時間ｔｊが設定されていないためである。
【０１０９】
以上説明した違いを除き、図７に示す本実施形態における暖房運転で正誤判定を行う際の処理は、図４に示す第１の実施形態における暖房運転で正誤判定を行う際の処理と同じであるため、以下の説明では、上述した第１の実施形態と異なる処理についてのみ詳細に説明する。
【０１１０】
ＳＴ３５までの処理で判定前熱交温度ＴＢＥを含む信号を受信した後に、室内機５ａに対応する膨張弁１００ａに向けて、当該膨張弁を全閉とする全閉信号を送信したＣＰＵ２１０は、タイマーによる計時を開始する（ＳＴ３６）。
【０１１１】
次に、ＣＰＵ２１０は、ＳＴ３６の処理を開始してから基本判定時間ｔｊｍが経過したか否かを判断する（ＳＴ３７）。基本判定時間ｔｊｍが経過していなければ（ＳＴ３７−Ｎｏ）、ＣＰＵ２１０は、ＳＴ３７に処理を戻す。基本判定時間ｔｊｍが経過していれば（ＳＴ３７−Ｙｅｓ）、ＣＰＵ２１０は、
ＳＴ３８でタイマーをリセットして室内機５ａ〜５ｃのいずれかから送信された、全閉後熱交温度ＴＡＦを含む信号を受信し、この信号から全閉後熱交温度ＴＡＦを抽出しこれを全閉後熱交温度ＴＡＦａとして、室内機５ａに対応付けて記憶部２２０にある配管・配線接続判定テーブル６００に記憶する。
【０１１２】
次に、ＣＰＵ２１０は、記憶部２２０から判定前熱交温度ＴＢＥａと全閉後熱交温度ＴＡＦａを読み出し、判定前熱交温度ＴＢＥａから全閉後熱交温度ＴＡＦａを減じた温度差が閾温度差Ｔｔｈ以上であるか否かを判断する（ＳＴ３９）。
【０１１３】
温度差が閾温度差Ｔｔｈ以上であれば（ＳＴ３９−Ｙｅｓ）、ＣＰＵ２１０は、正誤判定の結果をＯＫ、つまり、室外機２と室内機５ａおよび室外機２と膨張弁１００ａは、図１に示すように液管８ａ、第１配線２５０ａおよび第１枝配線２５０ａａ、第２配線２５０ｂおよび第２枝配線２５０ｂａで正しく接続されていると判定し（ＳＴ４０）、ＳＴ４６に処理を進める。
【０１１４】
一方、温度差が閾温度差Ｔｔｈ未満であれば（ＳＴ３９−Ｎｏ）、ＣＰＵ２１０は、配管・配線接続配点テーブル６００を参照して室内機５ａに定められている延長判定時間ｔｐｂを読み出し、タイマーによる計時を開始する（ＳＴ４１）。
【０１１５】
次に、ＣＰＵ２１０は、ＳＴ４１でタイマーによる計時を開始してから延長判定時間ｔｐｂが経過したか否かを判断する（ＳＴ４２）。延長判定時間ｔｐｂが経過していなければ（ＳＴ４２−Ｎｏ）、ＣＰＵ２１０は、ＳＴ４２に処理を戻す。延長判定時間ｔｐｂが経過していれば（ＳＴ４２−Ｙｅｓ）、ＣＰＵ２１０は、タイマーをリセットして室内機５ａ〜５ｃのいずれかから送信された、全閉後熱交温度ＴＡＦを含む信号を受信し（ＳＴ４３）、この信号から全閉後熱交温度ＴＡＦを抽出しこれを全閉後熱交温度ＴＡＦａとして、室内機５ａに対応付けて記憶部２２０にある配管・配線接続判定テーブル６００に記憶する。
【０１１６】
次に、ＣＰＵ２１０は、記憶部２２０から判定前熱交温度ＴＢＥａと全閉後熱交温度ＴＡＦａを読み出し、判定前熱交温度ＴＢＥａから全閉後熱交温度ＴＡＦａを減じた温度差が閾温度差Ｔｔｈ以上であるか否かを判断する（ＳＴ４４）。
【０１１７】
温度差が閾温度差Ｔｔｈ以上であれば（ＳＴ４４−Ｙｅｓ）、ＣＰＵ２１０は、ＳＴ４０に処理を進める。温度差が閾温度差Ｔｔｈ未満であれば（Ｓ４４−Ｎｏ）、ＣＰＵ２１０は、正誤判定の結果をＮＧ、つまり、室外機２と室内機５ａおよび室外機２と膨張弁１００ａを接続する液管８ａ、第１配線２５０ａおよび第１枝配線２５０ａａ、第２配線２５０ｂおよび第２枝配線２５０ｂａのうちのいずれかが誤っていると判定し（ＳＴ４５）、ＳＴ４６に処理を進める。
【０１１８】
ＳＴ４６に処理を進め、室内機５ｂに対応する膨張弁１００ｂに向けて、当該膨張弁を全閉とする全閉信号を送信したＣＰＵ２１０は、タイマーによる計時を開始する（ＳＴ４７）。
【０１１９】
次に、ＣＰＵ２１０は、ＳＴ４７の処理を開始してから基本判定時間ｔｊｍが経過したか否かを判断する（ＳＴ４８）。基本判定時間ｔｊｍが経過していなければ（ＳＴ４８−Ｎｏ）、ＣＰＵ２１０は、ＳＴ４８に処理を戻す。基本判定時間ｔｊｍが経過していれば（ＳＴ４８−Ｙｅｓ）、ＣＰＵ２１０は、
ＳＴ４９でタイマーをリセットして室内機５ａ〜５ｃのいずれかから送信された、全閉後熱交温度ＴＡＦを含む信号を受信し、この信号から全閉後熱交温度ＴＡＦを抽出しこれを全閉後熱交温度ＴＡＦｂとして、室内機５ｂに対応付けて記憶部２２０にある配管・配線接続判定テーブル６００に記憶する。
【０１２０】
次に、ＣＰＵ２１０は、記憶部２２０から判定前熱交温度ＴＢＥｂと全閉後熱交温度ＴＡＦｂを読み出し、判定前熱交温度ＴＢＥｂから全閉後熱交温度ＴＡＦｂを減じた温度差が閾温度差Ｔｔｈ以上であるか否かを判断する（ＳＴ５０）。
【０１２１】
温度差が閾温度差Ｔｔｈ以上であれば（ＳＴ５０−Ｙｅｓ）、ＣＰＵ２１０は、正誤判定の結果をＯＫ、つまり、室外機２と室内機５ｂおよび室外機２と膨張弁１００ｂは、図１に示すように液管８ｂ、第１配線２５０ａおよび第１枝配線２５０ａｂ、第２配線２５０ｂおよび第２枝配線２５０ｂｂで正しく接続されていると判定し（ＳＴ５１）、ＳＴ５３に処理を進める。
【０１２２】
一方、温度差が閾温度差Ｔｔｈ未満であれば（ＳＴ５０−Ｎｏ）、ＣＰＵ２１０は、正誤判定の結果をＮＧ、つまり、室外機２と室内機５ｂおよび室外機２と膨張弁１００ｂを接続する液管８ｂ、第１配線２５０ａおよび第１枝配線２５０ａｂ、第２配線２５０ｂおよび第２枝配線２５０ｂｂのうちのいずれかが誤っていると判定し（ＳＴ５２）、ＳＴ５３に処理を進める。前述したように、室内機５ｂについては延長判定時間ｔｐが設定されていないため、ＳＴ５０で温度差が閾温度差Ｔｔｈ未満であれば、正誤判定の結果をＮＧと判断する。
【０１２３】
ＳＴ５３に処理を進め、室内機５ｃに対応する膨張弁１００ｃに向けて、当該膨張弁を全閉とする全閉信号を送信したＣＰＵ２１０は、タイマーによる計時を開始する（ＳＴ５４）。
【０１２４】
次に、ＣＰＵ２１０は、ＳＴ５４の処理を開始してから基本判定時間ｔｊｍが経過したか否かを判断する（ＳＴ５５）。基本判定時間ｔｊｍが経過していなければ（ＳＴ５５−Ｎｏ）、ＣＰＵ２１０は、ＳＴ５５に処理を戻す。基本判定時間ｔｊｍが経過していれば（ＳＴ５５−Ｙｅｓ）、ＣＰＵ２１０は、
ＳＴ５６でタイマーをリセットして室内機５ａ〜５ｃのいずれかから送信された、全閉後熱交温度ＴＡＦを含む信号を受信し、この信号から全閉後熱交温度ＴＡＦを抽出しこれを全閉後熱交温度ＴＡＦｃとして、室内機５ｃに対応付けて記憶部２２０にある配管・配線接続判定テーブル６００に記憶する。
【０１２５】
次に、ＣＰＵ２１０は、記憶部２２０から判定前熱交温度ＴＢＥｃと全閉後熱交温度ＴＡＦｃを読み出し、判定前熱交温度ＴＢＥｃから全閉後熱交温度ＴＡＦｃを減じた温度差が閾温度差Ｔｔｈ以上であるか否かを判断する（ＳＴ５７）。
【０１２６】
温度差が閾温度差Ｔｔｈ以上であれば（ＳＴ５７−Ｙｅｓ）、ＣＰＵ２１０は、正誤判定の結果をＯＫ、つまり、室外機２と室内機５ｃおよび室外機２と膨張弁１００ｃは、図１に示すように液管８ｃ、第１配線２５０ａおよび第１枝配線２５０ａｃ、第２配線２５０ｂおよび第２枝配線２５０ｂｃで正しく接続されていると判定し（ＳＴ５８）、正誤判定に関わる処理を終了する。
【０１２７】
一方、温度差が閾温度差Ｔｔｈ未満であれば（ＳＴ５７−Ｎｏ）、ＣＰＵ２１０は、配管・配線接続配点テーブル６００を参照して室内機５ｃに定められている延長判定時間ｔｐａを読み出し、タイマーによる計時を開始する（ＳＴ５９）。
【０１２８】
次に、ＣＰＵ２１０は、ＳＴ５９でタイマーによる計時を開始してから延長判定時間ｔｐａが経過したか否かを判断する（ＳＴ６０）。延長判定時間ｔｐａが経過していなければ（ＳＴ６０−Ｎｏ）、ＣＰＵ２１０は、ＳＴ６０に処理を戻す。延長判定時間ｔｐａが経過していれば（ＳＴ６０−Ｙｅｓ）、ＣＰＵ２１０は、タイマーをリセットして室内機５ａ〜５ｃのいずれかから送信された、全閉後熱交温度ＴＡＦを含む信号を受信（ＳＴ６１）し、この信号から全閉後熱交温度ＴＡＦを抽出しこれを全閉後熱交温度ＴＡＦｃとして、室内機５ｃに対応付けて記憶部２２０にある配管・配線接続判定テーブル６００に記憶する。
【０１２９】
次に、ＣＰＵ２１０は、記憶部２２０から判定前熱交温度ＴＢＥｃと全閉後熱交温度ＴＡＦｃを読み出し、判定前熱交温度ＴＢＥｃから全閉後熱交温度ＴＡＦｃを減じた温度差が閾温度差Ｔｔｈ以上であるか否かを判断する（ＳＴ６２）。
【０１３０】
温度差が閾温度差Ｔｔｈ以上であれば（ＳＴ６２−Ｙｅｓ）、ＣＰＵ２１０は、ＳＴ５８に処理を進める。温度差が閾温度差Ｔｔｈ未満であれば（Ｓ６２−Ｎｏ）、ＣＰＵ２１０は、正誤判定の結果をＮＧ、つまり、室外機２と室内機５ｃおよび室外機２と膨張弁１００ｃを接続する液管８ｃ、第１配線２５０ａおよび第１枝配線２５０ａｃ、第２配線２５０ｂおよび第２枝配線２５０ｂｃのうちのいずれかが誤っていると判定し（ＳＴ６３）、正誤判定に関わる処理を終了する。尚、ＣＰＵ２１０は、室外機２に設けられる図示しない表示部に、ＳＴ４０、ＳＴ４５、ＳＴ５１、ＳＴ５２、ＳＴ５８、および、ＳＴ６３の判定結果を表示することで、空気調和装置１の設置作業者に判定結果を通知する。
【０１３１】
尚、以上説明した実施形態では、全閉とした膨張弁１００ａ〜１００ｃに対応する室内機５ａ〜５ｃの全閉後熱交温度ＴＡＦのみを検出し、当該室内機のみ判定前熱交温度ＴＢＥと全閉後熱交温度ＴＡＦの温度差を求めて閾温度差Ｔｔｈと比較することで正誤判定を行っている。しかし、これに限られず、膨張弁１００ａ〜１００ｃのいずれかを全閉とした後に全ての全閉後熱交温度ＴＡＦを検出し、全ての室内機５ａ〜５ｃで判定前熱交温度ＴＢＥと全閉後熱交温度ＴＡＦの温度差を求めて、温度差が一番大きくなる室内機が全閉とした膨張弁に対応するものか否かを確認した後に、当該温度差を閾温度差Ｔｔｈと比較してもよい。
【０１３２】
以上説明した本実施形態の空気調和装置１では、膨張弁１００ａ〜１００ｃを全閉とする前後の熱交温度である判定前熱交温度ＴＢＥと全閉後熱交温度ＴＡＦの温度差を用いて正誤判定を行うときに、当該温度差が閾温度差Ｔｔｈ未満である室内機がある場合は、図５に示す延長判定時間テーブル５００を用いて当該室内機の熱交換量Ｈａに応じた延長判定時間ｔｐを選択し、当該室内機に対応する膨張弁を延長判定時間ｔｐだけ全閉とする。これにより、室内熱交換器５１ａ〜５１の熱交換量Ｈａに違いがあっても、冷媒配管や配線の接続が正しい場合は、膨張弁１００ａ〜１００ｃの全閉前後で室内熱交換器５１ａ〜５１における熱交温度が全て同じように変化する。従って、確実に冷媒配管や配線の接続の正誤判定を行うことができる。
【０１３３】
尚、以上説明した本発明の各実施形態では、室内機５ａ〜５ｃの熱交換量Ｈａに応じて判定時間ｔｊを異ならせる、あるいは、基本判定時間ｔｊｍに加える延長判定時間ｔｐを室内機の熱交換量Ｈａに応じて異ならせることで、室外機２に熱交換量Ｈａの異なる室内機５ａ〜５ｃが接続されていても、確実に冷媒配管や配線の接続の正誤判定が行えることを説明した。これに加えて、室内ファン５４ａ〜５４ｃの回転数を制御して、室内熱交換器５１ａ〜５１ｃを通過する風量を室内機５ａ〜５ｃの熱交換量Ｈａに応じて異ならせてもよい。
【０１３４】
具体的には、熱交換量Ｈａが小さい室内機の室内ファン回転数を、熱交換量Ｈａが大きい室内機の室内ファン回転数と比べて高くする。これにより、熱交換量Ｈａが小さい室内機の室内熱交換器を通過する風量が、熱交換量Ｈａが大きい室内機の室内熱交換器を通過する風量より多くなるので、熱交換量Ｈａが小さい室内機において当該室内機に対応する膨張弁を全閉とした後に熱交温度が早く低下する。従って、膨張弁を全閉とする時間を熱交換量Ｈａによって異ならせることのみを行う場合と比べて、より確実に冷媒配管や配線の接続の正誤判定を行うことができる。
【符号の説明】
【０１３５】
１  空気調和装置
２  室外機
５ａ〜５ｃ  室内機
２３  室外熱交換器
５１ａ〜５１ｃ  室内熱交換器
６１ａ〜６１ｃ  熱交温度センサ
１００  膨張弁ボックス
１００ａ〜１００ｃ  膨張弁
２００  室外機制御部
２１０  ＣＰＵ
２２０  記憶部
２４０  センサ入力部
２５０ａ  第１配線
２５０ａａ〜２５０ａｃ  第１枝配線
２５０ｂ  第２配線
２５０ｂａ〜２５０ｂｃ  第２枝配線
３００  判定時間テーブル
４００  配管・配線組合判定テーブル
５００  延長判定時間テーブル
Ｈａ  熱交換量
ＴＢＥ、ＴＢＥａ〜ＴＢＥｃ  判定前熱交温度
ＴＡＦ、ＴＡＦａ〜ＴＡＦｃ  全閉後熱交温度
Ｔｔｈ  閾温度差
ｔｊ、ｔｊａ〜ｔｊｃ  判定時間
ｔｊｍ  基本判定時間
ｔｐ  ｔｐａ、ｔｐｂ  延長判定時間
【図１】
2018162892.tif 000003
【図２】
2018162892.tif 000004
【図３】
2018162892.tif 000005
【図４】
2018162892.tif 000006
【図５】
2018162892.tif 000007
【図６】
2018162892.tif 000008
【図７】
2018162892.tif 000009